(57)【要約】【課題】部材によって囲繞される中空部の内部に構造物が存在せず、中空部に機器を収納したり、通路として使用できる軸方向に連続した中空部を持つ中空伸展ブームを提供することにある。【解決手段】剛性を有する複数の環状のスペーサ１２と、前記複数のスペーサ１２を所定間隔を存して軸方向に連結するとともに、軸方向に直線的に伸展する展開状態と前記スペーサ１２の輪郭に沿って湾曲することにより軸方向に短縮状態に弾性変形する複数の縦通し部材１３と、前記隣合うスペーサ１２と隣合う縦通し部材１３との連結部に対角状に設けられ、少なくとも一方が軸方向に弾性的に伸縮自在な張設部材１４と、前記スペーサ１２、縦通し部材１３及び張設部材１４によって囲繞される中空部１５とを具備したことを特徴とする中空伸展ブームにある。【選択図】  図１
2005195066.tif 000002
【特許請求の範囲】
【請求項１】
剛性を有する複数の環状のスペーサと、
前記複数のスペーサを所定間隔を存して軸方向に連結するとともに、軸方向に直線的に伸展する展開状態と前記スペーサの輪郭に沿って湾曲することにより軸方向に短縮状態に弾性変形する複数の縦通し部材と、
前記隣合うスペーサと隣合う縦通し部材との連結部に対角状に設けられ、少なくとも一方が軸方向に弾性的に伸縮自在な張設部材と、
前記スペーサ、縦通し部材及び張設部材によって囲繞される中空部と、
を具備したことを特徴とする中空伸展ブーム。
【請求項２】
前記スペーサは、内側に空間部を有するリング状、矩形状、多角形状等のいずれかであることを特徴とする請求項１記載の中空伸展ブーム。
【請求項３】
前記縦通し部材は、拘束力が解除されたときに直線的に復元する超弾性部材であることを特徴とする請求項１記載の中空伸展ブーム。
【請求項４】
前記縦通し部材は、前記スペーサの周方向に等間隔に配置され、拘束力が解除されたときに直線的に復元して互いに平行状態に保たれることを特徴とする請求項１記載の中空伸展ブーム。
【請求項５】
前記張設部材は、対角状に配置された一方が伸縮不能な索条体、他方が伸縮自在な弾性索条体であることを特徴とする請求項１記載の中空伸展ブーム。
【請求項６】
請求項１記載の中空伸展ブームにおいて、周方向に回転自在であることで、展開時に他端側と相対的に非回転であるリングを先端のスペーサに更に加えたことを特徴とする。
【請求項７】
請求項１記載の中空伸展ブームにおいて、前記縦通し部材は、ブームの軸方向の中間部を境界として一端側が左巻き部に、他端側が右巻き部に螺旋状に構成され、展開時に前記左巻き部と右巻き部とが互いに逆方向に回転し、回転が相殺することで、前記ブームの軸方向の一端側と他端側が相対的に非回転展開する螺旋状部を有することを特徴とする。
【請求項８】
請求項６または７記載の中空伸展ブームにおいて、前記ブームの外周部に軸方向に伸縮可能な遮光膜を更に加えたことを特徴とする。
【請求項９】
請求項６または７記載の中空伸展ブームにおいて、前記ブームの軸方向の一端側に連結され、該ブームの軸方向に沿って他端側に延長された牽引索と、この牽引索を引き込み・繰り出し可能であり、牽引索を繰出すことにより、前記縦通し部材の弾性復元力によって前記スペーサ相互の間隔を広げて前記ブームを軸方向に展開し、引き込むことにより前記縦通し部材の弾性復元力に抗して前記スペーサ相互の間隔を狭めて前記ブームを軸方向に収縮させる引き込み・繰り出し機構を更に加えたことを特徴とする。
【発明の詳細な説明】
【技術分野】
【０００１】
この発明は、例えば、人工衛星の構造物、望遠鏡の鏡筒、通信用アンテナ、簡易テントの構造物及び高所からの避難具等に幅広く利用できる中空伸展ブームに関する。
【背景技術】
【０００２】
人工衛星に搭載する太陽電池パドル、アンテナ、探査ブーム、ロボットアーム等の機器は、人工衛星に搭載するときにはコンパクトに折畳まれ、宇宙空間においては本来の目的を達成するために展開されることが望ましい。
【０００３】
そこで、三角形状の複数の横部材をその角部において連結する複数の縦部材を設けるとともに、隣接する横部材と隣接する縦部材とを連結機構によって連結する。さらに、隣接する横部材と隣接する縦部材との連結部に対角状の斜め部材を張設した伸展構造物が知られている（例えば、特許文献１及び２参照。）。
【０００４】
また、弾性変形可能なロッド状のロンジロン部材をコイル状に弾性変形させ、その両端部をベースと端部材とで規制し、これらを伸展機構で接離させて伸展自在とし、前記ロンジロン部材の中間部をスペーサ部材で保持し、コイル状のロンジロン部材をヘリカルアンテナのコイル状の素子とした伸展形ヘリカルアンテナ装置が知られている（例えば、特許文献３参照。）。
【特許文献１】特開平１１−００２３９３号公報
【特許文献２】特開平１１−００２３９４号公報
【特許文献３】特開平９−３０７３３９号公報
【発明の開示】
【発明が解決しようとする課題】
【０００５】
ところで、特許文献１及び２の伸展構造物は、短縮して小さい容積に収納し、また展開状態では長尺のブーム状の構造物となる。しかも、斜め部材の張力による荷重は縦部材及び連結機構を介して横部材に連結され、剛性が高い構造物である。
【０００６】
しかしながら、隣接する横部材と隣接する縦部材との連結部に対角状の斜め部材を張設した構造であり、伸展する過程で三角形状の横部材がブームの軸心を中心として回転するため、内部の空間スペースが狭く、空間スペースを利用することができない構造である。
【０００７】
また、特許文献３は、弾性変形可能なロッド状のロンジロン部材をコイル状に弾性変形させた構造であるが、円筒体の内部に軸方向に伸展条体を挿通し、この伸展条体を巻取り・繰り出しして円筒体からなるヘリカルアンテナを伸縮する構造である。従って、例えば、円筒体の内部に機器を収納したり、通路として使用しても、伸展条体が内部に挿通されているため、機器を収納したり、通路として、あるいは光学観測装置の鏡筒として使用することはできない構造である。また、特許文献３には、円筒体の内部に略十字状のスペーサ部材を設けたものも開示されているが、スペーサ部材によって内部空間を遮った構造となり、内部の空間スペースが狭く、空間スペースを利用することができない構造である。
【０００８】
この発明は、前記事情に着目してなされたもので、その目的とするところは、スペーサ、縦通し部材等によって構成され、伸展自在であると共に、前記部材によって囲繞される中空部の内部に構造物が存在せず、中空部に機器を収納したり、通路として、あるいは光学観測装置の鏡筒として使用できる中空伸展ブームを提供することにある。
【課題を解決するための手段】
【０００９】
この発明は、前記目的を達成するために、請求項１は、剛性を有する複数の環状のスペーサと、前記複数のスペーサを所定間隔を存して軸方向に連結するとともに、軸方向に直線的に伸展する展開状態と前記スペーサの輪郭に沿って湾曲することにより軸方向に短縮状態に弾性変形する複数の縦通し部材と、前記隣合うスペーサと隣合う縦通し部材との連結部に対角状に設けられ、少なくとも一方が軸方向に弾性的に伸縮自在な張設部材と、前記スペーサ、縦通し部材及び張設部材によって囲繞される中空部と、を具備したことを特徴とする中空伸展ブームにある。
【００１０】
請求項２は、請求項１の前記スペーサは、内側に空間部を有するリング状、矩形状、多角形状等のいずれかであることを特徴とする。
【００１１】
請求項３は、請求項１の前記縦通し部材は、拘束力が解除されたときに直線的に復元する超弾性部材であることを特徴とする。
【００１２】
請求項４は、請求項１の前記縦通し部材は、前記スペーサの周方向に等間隔に配置され、拘束力が解除されたときに直線的に復元して互いに平行状態に保たれることを特徴とする。
【００１３】
請求項５は、請求項１の前記張設部材は、対角状に配置された一方が伸縮不能な索条体、他方が伸縮自在な弾性索条体であることを特徴とする。
【００１４】
請求項６は、請求項１記載の中空伸展ブームにおいて、周方向に回転自在であることで、展開時に他端側と相対的に非回転であるリングを先端のスペーサに更に加えたことを特徴とする。
【００１５】
請求項７は、請求項１記載の中空伸展ブームにおいて、前記縦通し部材は、ブームの軸方向の中間部を境界として一端側が左巻き部に、他端側が右巻き部に螺旋状に構成され、展開時に前記左巻き部と右巻き部とが互いに逆方向に回転し、回転が相殺することで、前記ブームの軸方向の一端側と他端側が相対的に非回転展開する螺旋状部を有することを特徴とする。
【００１６】
請求項８は、請求項６または７記載の中空伸展ブームにおいて、前記ブームの外周部に軸方向に伸縮可能な遮光膜を更に加えたことを特徴とする。
【００１７】
請求項９は、請求項６または７記載の中空伸展ブームにおいて、前記ブームの軸方向の一端側に連結され、該ブームの軸方向に沿って他端側に延長された牽引索と、この牽引索を引き込み・繰り出し可能であり、牽引索を繰出すことにより、前記縦通し部材の弾性復元力によって前記スペーサ相互の間隔を広げて前記ブームを軸方向に展開し、引き込むことにより前記縦通し部材の弾性復元力に抗して前記スペーサ相互の間隔を狭めて前記ブームを軸方向に収縮させる引き込み・繰り出し機構を更に加えたことを特徴とする。
【発明の効果】
【００１８】
この発明によれば、瞬時に展開され、また不使用時にはコンパクトに収縮でき、また軸方向に貫通する中空部を有する伸展ブームとなる。従って、中空部に機器を収納したり、通路として使用でき、人工衛星の構造物、通信用アンテナ、光学観測装置の鏡筒部分、簡易テント、避難滑降路、簡易ゴミ箱、消防車に搭載する立体梯子、橋やビルの建設工事、電気配線工事用の立体梯子、展開収納可能な傘立て等幅広い分野に利用できるという効果がある。
【発明を実施するための最良の形態】
【００１９】
以下、この発明の実施の形態を図面に基づいて説明する。
【００２０】
図１〜図５は第１の実施形態を示し、中空伸展ブームを望遠鏡の鏡筒として利用した場合である。図１はブームとしての鏡筒の展開状態の斜視図、図２は展開・収縮途中の鏡筒の斜視図、図３は収縮状態の鏡筒の斜視図、図４はヒンジ部の斜視図、図５は鏡筒に遮光膜を設けた状態の斜視図である。
【００２１】
図１は望遠鏡の鏡筒１１の骨格を示し、複数の円環状のスペーサ１２と、複数のスペーサ１２を所定間隔を存して軸方向に連結するとともに、スペーサ１２の周方向に等間隔に配置された複数の縦通し部材１３と、鏡筒１１の軸方向に隣合う前記スペーサ１２と鏡筒１１の周方向に隣合う前記縦通し部材１３との連結部に対角状に設けられた張設部材１４とから構成されている。従って、鏡筒１１はスペーサ１２、縦通し部材１３及び張設部材１４によって囲繞される中空部１５を有する円筒状に構成されている。
【００２２】
スペーサ１２は、例えばアルミニウム等の剛性を有する材料によって構成されている。このスペーサ１２の外周部には周方向に例えば９０°の間隔を存してヒンジ部１６が設けられている。このヒンジ部１６は、図４に示すように構成されている。すなわち、スペーサ１２の径方向にピン孔１７が穿設されている。スペーサ１２の外側にはヒンジ本体１８が設けられ、このヒンジ本体１８には枢支ピン１９が突設されている。ヒンジ本体１８の枢支ピン１９はピン孔１７に軸心回りに回転自在に枢支され、枢支ピン１９の先端部をかしめることにより抜止めされている。
【００２３】
ヒンジ本体１８は、例えばアルミニウム等によって矩形ブロック状に形成され、このヒンジ本体１８には鏡筒１１の軸方向に大径の貫通孔２０と、この貫通孔２０を挟んで両側に小径の固定孔２１ａ，２１ｂが穿設されている。
【００２４】
そして、各スペーサ１２に設けられたヒンジ本体１８の貫通孔２０には前記縦通し部材１３が挿通されている。縦通し部材１３は、例えば超弾性部材、ＧＦＲＰあるいはＮｉ−Ｔｉの形状記憶合金からなり、鏡筒１１の軸方向に直線的に伸展する方向（展開状態）に弾性力を有している。さらに、鏡筒１１を外力によって捻り力を加えると、縦通し部材１３はヒンジ本体１８を枢支ピン１９を支点として回転させながら前記スペーサ１２の輪郭に沿って湾曲して鏡筒１１が軸方向に短縮状態に弾性変形するようになっている。
【００２５】
さらに、鏡筒１１の軸方向に隣合うスペーサ１２と鏡筒１１の周方向に隣合う縦通し部材１３との間のヒンジ部１６相互間には対角線状に前記張設部材１４が張設されている。張設部材１４は対角状に配置され、一方が伸縮不能なワイヤ、ケブラー等の糸の索条体２２、他方がゴム等の伸縮自在な弾性索条体２３によって形成されている。そして、索条体２２は両端部がヒンジ本体１８の固定孔２１ａに連結固定され、弾性索条体２３の両端部が固定孔２１ｂに連結固定され、索条体２２と弾性索条体２３とは鏡筒１１の軸方向に隣合うスペーサ１２間で交差している。
【００２６】
従って、鏡筒１１はスペーサ１２、縦通し部材１３及び張設部材１４によって囲繞される中空部１５が構成され、全体として円筒状に構成されている。さらに、鏡筒１１はその軸方向の中間部を境界として一端側が左巻き部２５に、他端側が右巻き部２６に構成してもよい。すなわち、左巻き部２５と右巻き部２６とでは伸縮不能な索条体２２と伸縮可能な弾性索条体２３とが逆方向に配置されている。従って、左巻き部２５と右巻き部２６とでは展開時に互いに逆方向に回転し、回転が相殺することで、鏡筒１１の一端側は他端側に対して相対的に非回転展開する。鏡筒１１の一端側（先端側）は他端側（基端側）に対して相対的に回転することはないので、例えば先端側に光学レンズを設けても、展開時に光学レンズに加わる衝撃を減ずることができる。
【００２７】
鏡筒１１の軸方向の一端側のスペーサ１２には望遠鏡を構成する部材が設けられている。すなわち、鏡筒１１の最も端部に位置するスペーサ１２にはリング状のレンズ枠２７が設けられている。このレンズ枠２７にはレンズ２８が装着されている。さらに、レンズ枠２７に対向する前部にはスペーサ１２よりもやや大径で、ヒンジ部１６が内側に装着されたスペーサ１２ａを設け、このスペーサ１２ａに嵌合して周方向に回転自在な先端リング２９を装着することもできる。この先端リング２９は、鏡筒１１の周方向回転とは独立して回転自在なため、展開時に他端側と相対的に非回転とすることができる。
【００２８】
なお、レンズ２８を１枚だけ設置した場合について説明したが、鏡筒１１の内部には複数枚のリレーレンズ（図示しない）が装着されている。
【００２９】
さらに、図５に示すように、鏡筒１１の外周部には柔軟性を有する筒状の遮光膜３０によって覆われ、この遮光膜３０は一端部が先端リング２９に固定され、他端部が鏡筒１１の基端側のスペーサ１２に固定されている。
【００３０】
次に、第１の実施形態の作用について説明する。
【００３１】
図１は鏡筒１１が軸方向に最大に展開した状態であり、複数のスペーサ１２は複数本の縦通し部材１３によって支持されている。また、張設部材１４を構成する索条体２２と弾性索条体２３はスペーサ１２の輪郭に沿って配置されているため、鏡筒１１はスペーサ１２、縦通し部材１３及び張設部材１４によって囲繞される中空部１５が構成されている。
【００３２】
この状態から、鏡筒１１の左巻き部２５を左巻きに、右巻き部２６を右巻きに捻りを加えるる。左巻き部２５に左巻き方向の捻りが加わると、縦通し部材１３はヒンジ部１６を支点として右方向に倒れる。このとき、ヒンジ本体１８はスペーサ１２に対して枢支ピン１９によって回転自在に枢支されているため、縦通し部材１３の回動に伴って索条体２２の張力は緩み、他方の弾性索条体２３は伸長されてスペーサ１２の輪郭に沿って引き揃えられる。
【００３３】
右巻き部２６に右巻き方向の捻りが加わると、縦通し部材１３はヒンジ部１６を支点として左方向に倒れる。このとき、ヒンジ本体１８はスペーサ１２に対して枢支ピン１９によって回転自在に枢支されているため、縦通し部材１３の回動に伴って索条体２２の張力は緩み、他方の弾性索条体２３は伸長されてスペーサ１２の輪郭に沿って引き揃えられる。
【００３４】
従って、スペーサ１２は原形を保ったままで、縦通し部材１３及び張設部材１４を構成する索条体２２と弾性索条体２３がスペーサ１２の輪郭に沿うため、図２に示すように、鏡筒１１のスペーサ１２相互の間隔が徐々に狭まり、最終的に図３に示すように、収縮されたコンパクトな形状となる。
【００３５】
鏡筒１１を収縮状態に保持する場合には、十字状に結束バンド等によって結束することにより、拘束することができる。また、結束バンドを外して拘束力を解除すると、縦通し部材１３が直線状に復元する弾性復元力によって左巻き部２５及び右巻き部２６が捻り方向と逆方向に回動しながらスペーサ１２相互の間隔を広げる。従って、鏡筒１１は、図２の状態から図１の状態に自動的に軸方向に展開して円筒状となる。このとき、遮光膜３０は一端が先端リング２９に固定されているため周方向に非回転であり、鏡筒１１の軸方向の伸長に伴って蛇腹状に延びるため、鏡筒１１の展開を妨げることはない。また、鏡筒１１は左巻き部２５と右巻き部２６とで回転が相殺することで、鏡筒１１の一端側は他端側に対して相対的に非回転展開する。鏡筒１１の一端側（先端側）は他端側（基端側）に対して相対的に回転することはないので、例えば先端側に光学レンズを設けても、展開時に光学レンズに加わる衝撃を減ずることができる。
【００３６】
なお、前記第１の実施形態においては、スペーサ１２がリング状の場合について説明したが、スペーサ１２が楕円形状、矩形状、多角形状等でもよい。また、張設部材１４の交差する一方を伸縮しない索条体としたが、両方を弾性索条体として伸縮するゴム、コイルスプリング等を採用してもよい。また、索条体２２と弾性索条体２３は、全てのスペーサ１２間に設けることに限定されず、剛性の低下を許す範囲内で適宜省略することができる。
【００３７】
図６及び図７は第２の実施形態を示す。図６は鏡筒の斜視図であり、張設部材１４は第１の実施形態と同様に装着されているが、図面上では簡素表示のためを省略されている。図７は同要部の斜視図であり、第１の実施形態と同一構成部分は同一番号を付して説明を省略する。
【００３８】
図６は望遠鏡の鏡筒を構成する中空伸展ブーム本体３１を示し、この中空伸展ブーム本体３１は、複数の円環状のスペーサ１２と、複数のスペーサ１２を所定間隔を存して軸方向に連結するとともに、スペーサ１２の輪郭に沿って弾性的に湾曲可能であり、かつ、スペーサ１２相互の間隔を広げる方向に付勢された複数の縦通し部材１３と、隣合うスペーサ１２と隣合う縦通し部材１３との連結部に対角状に設けられ、少なくとも一方が軸方向に弾性的に伸縮自在な張設部材１４とから構成されている。すなわち、縦通し部材１３は中空伸展ブーム本体３１が最大に伸長した状態で、複数のスペーサ１２の外周に直線状に配置されている。そして、各縦通し部材１３の中途部はスペーサ１２に回転自在に取付けられたヒンジ本体１８の第１の貫通孔２０に挿通固定されている。
【００３９】
従って、中空伸展ブーム本体３１は、スペーサ１２と縦通し部材１３と張設部材１４によって囲繞される中空部１５が構成され、全体として円筒状に構成されている。さらに、中空伸展ブーム本体３１の縦通し部材１３の螺旋方向はその軸方向の略中間部を境界として一端側が左巻き部２５に、他端側が右巻き部２６に構成されている。従って、左巻き部２５と右巻き部２６とでは展開時に互いに逆方向に回転し、回転が相殺することで、鏡筒１１の一端側は他端側に対して相対的に非回転展開する。
【００４０】
従って、中空伸展ブーム本体３１はスペーサ１２と縦通し部材１３と張設部材１４によって囲繞される中空部１５が構成され、全体として円筒状に構成されている。また、中空伸展ブーム本体３１の縦通し部材１３の螺旋方向が、その軸方向の中間部を境界としてその一端側が左巻き部２５に、他端側が右巻き部２６に構成されている構造も可能である。
【００４１】
この構造では、左巻き部２５と右巻き部２６とでは展開時に互いに逆方向に回転し、回転が相殺することで、レンズ枠２７及びレンズ２８は、鏡筒１１の他端側に対して相対的に非回転展開する。鏡筒１１の両端が互いに非回転展開する構造を利用し、展開速度を中空伸展ブーム本体３１の軸方向に調整する牽引索としての２本のワイヤ３２を左右対称的に配置することができる。これらワイヤ３２の一端部は最前端のスペーサ１２ａに対して周方向に回転自在なリング３３に連結されている。ワイヤ３２は中空伸展ブーム本体３１の軸方向に沿って他端側に延長され、引き込み・繰り出し機構としての電動または手動のウインチ３４に接続されている。このウインチ３４はワイヤ３２を巻き込んで引き込み可能であると共に、繰り出し可能なドラム３５を有している。
【００４２】
第２の実施形態の構成によれば、ウインチ３４によってワイヤ３２を繰出すことにより、縦通し部材１３の弾性復元力によってスペーサ１２相互の間隔を広げて中空伸展ブーム本体３１を軸方向に展開する。また、ウインチ３４によってワイヤ３２を引き込むことにより、縦通し部材１３の弾性復元力に抗してスペーサ１２相互の間隔を狭めて中空伸展ブーム本体３１を軸方向に収縮させることができる。
【００４３】
従って、第２の実施形態によれば、ウインチ３４によってワイヤ３２の繰り出し長を調整することにより、中空伸展ブーム本体３１の伸展長を任意に設定することができる。また、中空伸展ブーム本体３１の伸展時に縦通し部材１３が捩れが発生するが、先端リング２９はスペーサ１２ａに対して回転自在であるため、先端リング２９が捩れ方向と逆方向に回転してワイヤ３２が捩れるのを防ぐことができる。
【００４４】
なお、第１及び第２の実施形態においては、中空伸展ブームを望遠鏡の鏡筒に応用した場合について説明したが、この発明の中空伸展ブームは、人工衛星の構造物、通信用アンテナ、簡易テントの構造物及び高所からの避難具等に幅広く応用できる。
【００４５】
すなわち、図８は第１の実施形態における中空伸展ブームを簡易テント３６として用いた場合であり、骨格３７は防水シート３８によって覆われている。また、簡易テント３６の一側部における張設部材１４を構成する索条体２２と弾性索条体２３を取り除くことにより、出入口３９を設けることができる。
【００４６】
簡易テント３６は、簡易シャワー室、簡易更衣室等のレジャー用の他、災害時の仮設住宅、工事現場での仮設事務所としても利用でき、その用途によって骨格３７を構成するスペーサ１２、張設部材１４の材質や寸法を選定することが望ましい。
【００４７】
図９は第１の実施形態における中空伸展ブームを高所からの避難具４０として用いた場合であり、矩形状に構成されたスペーサ１２と、縦通し部材１３及び張設部材１４からなる骨格４１は覆いシート４２によって覆われて、中空部２４を避難滑降路４３に構成している。
【００４８】
図１０は第１の実施形態における中空伸展ブームをゴミ箱４４として用いた場合であり、骨格４５の内部に市販のゴミ袋４６をセットすることにより、簡易ゴミ箱を構成している。
【００４９】
図１１は第１の実施形態における中空伸展ブームを消防車に搭載する立体梯子４７として用いた場合であり、骨格４８を構成するスペーサ１２を足掛け部４９とすることができ、中空部２４の内部を乗降の通路として使用することができる。なお、消防車に搭載する立体梯子４７に限定されず、橋やビルの建設工事、電気配線工事用として利用できる。
【産業上の利用可能性】
【００５０】
この発明の中空伸展ブームは、人工衛星の構造物、通信用アンテナ、簡易テント、避難滑降路、簡易ゴミ箱、簡易傘立て、消防車に搭載する立体梯子、橋やビルの建設工事、電気配線工事用の立体梯子等幅広い分野に利用できる。
【図面の簡単な説明】
【００５１】
【図１】この発明の第１の実施形態を示し、伸展ブームとしての鏡筒の展開状態の斜視図。
【図２】同実施形態の鏡筒の展開・収縮途中の鏡筒の斜視図。
【図３】同実施形態の鏡筒の収縮状態の鏡筒の斜視図。
【図４】同実施形態のヒンジ部の斜視図。
【図５】同実施形態の鏡筒に遮光被膜を設けた状態の斜視図。
【図６】この発明の第２の実施形態を示し、伸展ブームとしての鏡筒の展開途中の斜視図。
【図７】同実施形態の鏡筒の一部の斜視図。
【図８】この発明の応用例を示し、簡易テントの斜視図。
【図９】この発明の応用例を示し、避難具の斜視図。
【図１０】この発明の応用例を示し、ゴミ箱の斜視図。
【図１１】この発明の応用例を示し、立体梯子の斜視図。
【符号の説明】
【００５２】
１１…鏡筒、１２…スペーサ、１３…縦通し部材、１４…張設部材、１５…中空部
【図１】
2005195066.tif 000003
【図２】
2005195066.tif 000004
【図３】
2005195066.tif 000005
【図４】
2005195066.tif 000006
【図５】
2005195066.tif 000007
【図６】
2005195066.tif 000008
【図７】
2005195066.tif 000009
【図８】
2005195066.tif 000010
【図９】
2005195066.tif 000011
【図１０】
2005195066.tif 000012
【図１１】
2005195066.tif 000013